(57)【要約】  【課題】  着座したままで、着座部の調節や背当て部、足当て部の角度調節が無段階にかつ簡単に設定でき、しかも操作性が良く、使用者に応じた鍛錬効果を向上できる。  【解決手段】  トレーニングマシーンの動作機構部２４は、着座部２６と、背当て部２７とが、座席取り付け部材２８に取り付けられ、この座席取り付け部材２８には、座席移動部材２９が螺着固定されて座席移動ブロック体５０が構成される。この座席移動ブロック体５０には、電気的駆動手段であるリニアアクチュエータ３０の一端側が取り付けられ、他端側には負荷伝達機構部６０が取り付けられて、リニアアクチュエータ３０を駆動することにより、座席移動ブロック体５０は移動可能に構成される。リニアアクチュエータ３０は、その駆動部側には、内部にモータが組み込まれていて、モータの回転運動を直線運動に変換し、駆動棒３０ａを直線運動させる機能を有する。  【選択図】  図２
2007029329.tif 000002
【特許請求の範囲】
【請求項１】
ウェイトフレーム内に積層されたウェイトブロックを有する荷重負荷装置と、
前記荷重負荷装置の近傍に配設され、足当て部、着座部及び背当て部を有する動作機構部と、
前記動作機構部の着座部と背当て部に配設され、前記荷重負荷装置の負荷が伝達手段を介して伝達される負荷伝達機構部とを備えたトレーニングマシーンにおいて、
前記動作機構部には、駆動手段を有し、この駆動手段の一端側には、着座部と背当て部が設けられた座席移動ブロック体が取り付けられ、前記駆動手段の他端側には、前記負荷伝達機構部が連結されて構成され、前記座席移動ブロック体は前記駆動手段により移動可能とされることを特徴とするトレーニングマシーン。
【請求項２】
前記座席移動ブロック体は、着座部と背当て部を取り付けた座席取り付け部と、レール取り付けフレームを直線的に滑動する滑動体が設けられた座席移動部材とからなることを特徴とする請求項１記載のトレーニングマシーン。
【請求項３】
前記着座部は、水平方向に回動可能に構成したことを特徴とする請求項２記載のトレーニングマシーン。
【請求項４】
前記背当て部の下端両側には、トレーニング時に把持する一対のグリップを設け、このグリップの一方は、回動可能に構成したことを特徴とする請求項２記載のトレーニングマシーン。
【請求項５】
前記駆動手段は、駆動部と、この駆動部の動作により繰り出される直線運動部材とを有し、前記駆動部と直線運動部材とを、座席移動ブロック体と負荷伝達機構部とにそれぞれ装着することを特徴とする請求項１記載のトレーニングマシーン。
【請求項６】
前記駆動手段を、背当て部と足当て部の後部側に設け、両部の回動角度調節をそれぞれ別々に設定することを特徴する請求項１記載のトレーニングマシーン。
【発明の詳細な説明】
【技術分野】
【０００１】
本発明は、主に大腿四頭筋や大臀筋を鍛錬するトレーニングマシーンに関するものである。
【背景技術】
【０００２】
周知のように、大腿四頭筋や大臀筋をトレーニングするには、所謂レッグプレスタイプと称されるトレーニングマシーンが用いられている。図１３は、この種、トレーニングマシーンの一例を示す概略構成図で、図１３において、トレーニングマシン１は、荷重負荷装置２において所望重量のウェイトブロック３を選択し、これを動作機構部部４に負荷し、この動作機構部４に設けられた板状の足当て部５を両足で操作することにより、前記所定部位のトレーニングを行うものである。
【０００３】
なお、動作機構部４を構成する一部の足当て部５は、後述のように荷重負荷装置２のウェイトブロック３に連結されている。足当て部５は、図示するようにベースフレーム１０に傾斜を付けて固定された部材からなるガイドフレーム６に移動自在に嵌め込まれ、嵌め込まれた部位にて荷重負荷装置２のウエイトブロック３と索条７を用いて連結されている。
【０００４】
また、図１４に示すトレーニングマシーン１の足当て部５は、前後方向には回動可能に枢着され、ベースフレーム１０の端部から斜め方向に向けて突設された傾斜フレーム１２に固定されている。
【０００５】
この種トレーニングマシーン１は、着座部８と背当て部９が移動自在機構部１１に取り付けられ、この移動自在機構部１１に荷重負荷装置２が連結されている。このタイプトレーニングマシーン１の背当て部９は、前後方向に角度が調節可能に構成されている。
【０００６】
上記したレッグプレスタイプのトレーニングマシーンの一例としては、非特許文献１に公開されたトレーニングマシーンが知られている。
【非特許文献１】セノー株式会社ホームページ、“製品・サービス／フィットネス”、［Ｏｎｌｉｎｅ］，２００４年７月１５日公開、２００４年１０月８日検索、インターネット＜ｈｔｔｐ：／／ｗｗｗ．ｓｅｎｏｈ．ｃｏ．ｊｐ／ｆｉｔｎｅｓｓ／ｓｈａｆｔ／ｂｍ７５／ｉｎｄｅｘ．ｈｔｍｌ＞，＜ｈｔｔｐ：／／ｗｗｗ．ｓｅｎｏｈ．ｃｏ．ｊｐ／ｆｉｔｎｅｓｓ／ｓｈａｆｔ／ｂｍ７６／ｉｎｄｅｘ．ｈｔｍｌ＞
【発明の開示】
【発明が解決しようとする課題】
【０００７】
前述したレッグプレスタイプのトレーニングマシーンは、最近、高齢者のリハビリテーションにも採用されるようになって来たために、高齢者でも簡単容易にトレーニングマシーンを取り扱うことができるのが要望されるようになってきた。
【０００８】
しかし、前述したトレーニングマシーンにおいては、背当て部の角度調節を行うには、通常背当て部の後方に突設された角度調節機構部を操作する手段が講じられていた。この角度調節機構部は、図１４に示すように、角度に応じて孔が予め穿設された棒状の角度調節体１４と、この角度調節体１４を移動可能に挟持する角度位置決め体１３から構成され、角度位置決め体１３から角度調節体１４の孔にピンを抜き差して角度調節を行う作業が必要である。
【０００９】
このような作業を高齢者が簡単に行うのは、操作性が良くなく比較的手間がかかり面倒であるために、高齢者においてトレーニングマシーンの利用が、なかなか普及しない問題があった。
【００１０】
本発明の目的は、上記の問題点を解決し、高齢者をはじめ、一般のトレーニング者でも、着座したままで、着座部の移動位置調節や背当て部、足当て部の回動角度調節が無段階に、かつ簡単に設定できるようにして、操作性が良く、使用者に応じた鍛錬効果を向上させることができるトレーニングマシーンを提供することにある。
【課題を解決するための手段】
【００１１】
上記の目的を達成するために、本発明は、ウェイトフレーム内に積層されたウェイトブロックを有する荷重負荷装置と、前記荷重負荷装置の近傍に配設され、足当て部、着座部及び背当て部を有する動作機構部と、前記動作機構部の着座部と背当て部に配設され、前記荷重負荷装置の負荷が伝達手段を介して伝達される負荷伝達機構部とを備えたトレーニングマシーンにおいて、前記動作機構部には、駆動手段を有し、この駆動手段の一端側には、着座部と背当て部が設けられた座席移動ブロック体が取り付けられ、前記駆動手段の他端側には、前記負荷伝達機構部が連結されて構成され、前記座席移動ブロック体は前記駆動手段により移動可能とされることを特徴としている。
【００１２】
前記座席移動ブロック体は、請求項２記載の発明のように、着座部と背当て部を取り付けた座席取り付け部と、レール取り付けフレームを直線的に滑動する滑動体が設けられた座席移動部材とからなることを特徴としている。
【００１３】
このように、座席移動ブロック体を構成することにより、座席移動ブロック体が容易に移動できるようになる。
【００１４】
請求項３記載の発明は、前記着座部を、水平方向に回動可能に構成したことを特徴としている。
【００１５】
着座部を回動可能にすることにより、高齢者が着座するのが容易になる。
【００１６】
請求項４記載の発明は、前記背当て部の下端両側に、トレーニング時に把持する一対のグリップを設け、このグリップの一方は、回動可能に構成したことを特徴としている。
【００１７】
グリップの一方を回動可能にすると、着座部に着座する際に、グリップが邪魔になることがなくなる。
【００１８】
請求項５記載の発明は、前記駆動手段が、駆動部と、この駆動部の動作により繰り出される直線運動部材とを有し、前記駆動部と直線運動部材とを、座席移動ブロック体と負荷伝達機構部とにそれぞれ装着することを特徴としている。
【００１９】
この駆動手段を用いることにより、着座したまま、座席移動ブロック体を鍛錬力に応じて移動できる利点がある。
【００２０】
請求項６記載の発明は、前記駆動手段を、背当て部と足当て部の後部側に設け、両部の回動角度調節をそれぞれ別々に設定することを特徴としている。
【００２１】
このように設定することにより、トレーニング時にもそれぞれ別々に背当て部と足当て部の回動角度調節ができ、よりトレーニング効果を向上させることができる。
【００２２】
なお、駆動手段としては、電気的に行う手段や、油圧などの駆動手段を用いても良い。
【発明の効果】
【００２３】
以上述べたように、本発明によれば、従来のように鍛錬度合いに応じて、ピン等による調節操作をすることなく、高齢者をはじめ、一般のトレーニング者でも、着座したままで、着座部の移動位置調節や背当て部、足当て部の回動角度調節が無段階に、かつ簡単に設定できるようにして、操作性が良く、使用者に応じた鍛錬効果を向上させることができる。
【発明を実施するための最良の形態】
【００２４】
以下本発明の実施の形態を図面に基づいて説明する。
【００２５】
図１から図３は本発明の実施の形態を示すトレーニングマシンの正面図と荷重負荷装置を省略したときの斜視図で、図１から図３において、２１はトレーニングマシーン、２２は荷重負荷装置、２３はウェイトフレーム、２４はトレーニングマシーンの動作機構部、２５はトレーニング者が足を当てる矩形板状の足当て部である。なお、足当て部２５には、図１に示すように足当て部回動角度表示部２５ａが設けられる。
【００２６】
次に前記動作機構部２４の構成について述べる。動作機構部２４は次のように構成されている。すなわち、着座シート２６ａを有する着座部２６と、背当てパッド２７ａを有する背当て部２７とが、座席取り付け部材２８に取り付けられ、この座席取り付け部材２８には、詳細を図４に示す座席移動部材２９が螺着固定され、座席移動部材２９の下面から突設された突片２９ａには、電気的駆動手段であるリニアアクチュエータ３０の駆動棒３０ａ（直線運動部材）の先端部が取り付けられる。このリニアアクチュエータ３０は、その駆動部側には、内部にモータが組み込まれていて、モータの回転運動を直線運動に変換し、駆動棒３０ａを直線運動させる機能を有するものである。
【００２７】
なお、座席取り付け部材２８と座席移動部材２９とで座席移動ブロック体５０が形成され、この座席移動ブロック体５０には、電気的駆動手段であるリニアアクチュエータ３０の一端側が上述のように取り付けられ、他端側は後述するように負荷伝達機構部６０（図４）に取り付けられて、リニアアクチュエータ３０を駆動することにより、座席移動ブロック体５０は電気的に移動可能に構成される。
【００２８】
また、上記とは逆にリニアアクチュエータ３０の駆動棒３０ａの先端部を負荷伝達機構部６０側に取り付け、その駆動部側を座席移動ブロック体５０に取り付けるように構成しても良い。
【００２９】
前記リニアアクチュエータ３０の他端側の駆動部には、後述する荷重負荷装置２２のウェイトブロックに連結されたベルト（負荷伝達手段）の端部が、負荷伝達機構部６０を形成する部材２９ｃに固定される。これにより、リニアアクチュエータ３０により座席移動ブロック体５０を所定の位置に移動させた後、トレーニング者がトレーニングを開始すると、荷重負荷装置２２に所定の負荷が作用する。
【００３０】
背当て部２７の裏面側にも、リニアアクチュエータ３１が配設固定され、その駆動棒３１ａの先端部は、前記座席取り付け部材２８に枢着される。これにより、背当て部２７は、トレーニングの状態に合わせてリニアアクチュエータ３１により背当て部２７の回動角度調節が連続的に変更できる。なお、背当て部２７の回動角度がどのくらいかを示す目安として、足当て部２５の回動角度表示部２５ａと同様な回動角度表示部（図示省略）が設けられる。また、リニアアクチュエータ３１の一部は、図示しないカバーにて覆われている。
【００３１】
上記した座席移動部材２９は、図４に示すようにＵ字状の溝部２９ｂに構成され、その溝部２９ｂの底部には、詳細を図示しない周知のボールベアリングなどを備えた直線運動する滑動体７０が設置されている。この滑動体７０は、ベースフレーム３２から上方に一定間隔を隔てて構成されたレール取り付けフレーム３３の下面に設けられたレール３３ａに滑動自在に装着される。
【００３２】
なお、レール取り付けフレーム３３の上面には、着座部２６の移動位置を示す目安とした移動位置設定目盛が付されているので、トレーニング者は、次回から着座部２６の位置設定が目盛を見ることにより、簡単に行うことができる。
【００３３】
上記のように構成された座席移動部材２９の溝部２９ｂには、上部から座席取り付け部材２８が覆われ、その後、座席取り付け部材２８と座席移動部材２９は螺着固定されて座席移動ブロック体５０が形成される。これにより、座席移動ブロック体５０は、リニアアクチュエータ３０によりレール３３ａに沿って移動可能となり、トレーニング者が着座した状態で簡単に着座部２６の位置変更ができる。
【００３４】
なお、レール取り付けフレーム３３の両端は、湾曲した部材３４、３５を用いてベースフレーム３２に溶接等で固定される。
【００３５】
前記座席移動部材２９の下面に設けられた負荷伝達機構部６０が構成される部材２９ｃには、荷重負荷装置２２に設けられているウェイトブロック２３ａと連結された負荷伝達手段であるベルト２３ｂの端部が固着されるとともに、前記部材２９ｃの図４の裏面には、リニアアクチュエータ３０の駆動部側が取り付けられている。
【００３６】
また、負荷伝達機構部６０が構成される部材２９ｃには、ガイド棒３６が固定され、このガイド棒３は、座席移動部材２９の移動する方向の下部に沿って配設され、このガイド棒３６には、座席移動部材２９の下面から突き出されたガイド機構部３６ａが嵌め込まれている。なお、３７はプーリーである。
【００３７】
前記着座部２６は、詳細を図５、図６及び図１０に示すように、着座シート２６ａの下部に設けられているノブ２６ｂを操作することにより、着座部シート２６ａを９０°水平方向に回動可能に構成されているので、着座シート２６ａを図１０ａ，ｂの状態から、図１０ｃ，ｄの状態に回動させることができるようになる。なお、図１０ａ〜ｄには、着座シート２６ａの回動を阻止するストッパ２６ｃが設けてある。
【００３８】
このように、着座シート２６ａを回動させることにより、着座シート２６ａへの着座が簡単容易になり、着座後、ノブ２６ｂを操作することにより着座したまま、トレーニング位置に着座シート２６ａを簡単に戻すことができるので、高齢者でも着座シート２６ａへの着座が容易になり、かつ、これによって、トレーニングも容易に行うことができるようになる。
【００３９】
なお、３８は，背当て部２７の下部に左右一対突設されたグリップで、このグリップ３８は、トレーニング時にトレーニング者が把持するものであるが、トレーニング者が容易に着座できるようにするために、着座シート２６ａを９０°回動させて、着座するときにグリップ３８が邪魔になるを避けるために、グリップ３８の近傍にあるレバー３８ａ（図１１ａ，ｂ、図１２）を操作すると、グリップ３８の回動軸に組み込まれているピン３８ｂがスプリング３８ｃの押圧力を解き、グリップ３８を上方に向けて回動させるために、着座が容易になる。
【００４０】
また、前記足当て部２５の裏面側には、足当て部２５の回動角度を調整するためのリニアアクチュエータ３９が設けられ、その駆動棒３９ａは、ベースフレーム３２の端部を立ち上げたフレーム４０の端部に枢着される。なお、フレーム４０はウェイトフレーム２３に連結材４１によって固定されている。また、リニアアクチュエータ３９は図示仮想線で示すようにカバーにて覆われているとともに、カバーには、足当て部回動角度表示部２５ａの角度表示指針となるマーク等が付されている。
【００４１】
上記に示した実施の形態では、座席移動ブロック体５０を移動させるリニアアクチュエータ３０は正面側に設けた場合について述べてきたが、図７、図８に示すように、座席移動ブロック体５０の裏面側に設けても良い。
【００４２】
図９は、リニアアクチュエータ３０、３１、３９を駆動させるための電源をオンオフするためと、各アクチュエータへの電源供給用のスイッチ４２で、このスイッチ４２のボタンを操作することにより、コントローラ７１を介して、各リニアアクチュエータ３０、３１、３９へそれぞれ別々に電源を供給してそれを駆動させる。
【００４３】
これにより、トレーニング者が着座シート２６ｂに着座したままで、着座部２６の移動や足当て部２５と背当て部２７の回動角度の変更を行うことができるので、トレーニング者はトレーニング位置の変更が容易にできるようになる。
【００４４】
上記のように構成された実施の形態において、レッグプレスのトレーニングを行うには、まず、グリップ３８を図１１に示すように回動させて上方に向けた後、着座シート２６ａをノブ２６ｂの操作により、手前側に９０°回動させる。
【００４５】
その後、着座シート２６ａに着座してからノブ２６ｂを操作して、着座シート２６ａをトレーニング位置に戻し、トレーニング状態と荷重負荷に応じて、着座位置、足当て部２５の回動角度調節及び背当て部２７の回動角度調節をスイッチ４２の操作により、リニアアクチュエータ３０、３１、３９を駆動させる。このとき、足当て部２５と背当て部２７の回動角度は表示部（背当て部２７の回動角度表示部は図示省略）に表示される。
【００４６】
上記トレーニング状態が設定されたなら、トレーニング者は足当て部２５に足を当てて背当て部２７に背を当てて動作機構部２４を操作させると、荷重負荷装置２２のウェイトブロック２３ａに応じた負荷がトレーニング者の脚（レッグ）に加わる。この動作を必要な回数繰り返すことにより、レッグの鍛錬になる。
【００４７】
なお、トレーニング者のレッグ鍛錬位置の目安として、着座部２６の変更位置を示す移動位置設定目盛が、レール取り付けフレーム３３の上面に付されている。この移動位置設定目盛は、インストラクタがトレーニング者に鍛錬運動力をアドバイスする目安としても利用される。
【００４８】
上記の実施の形態では、駆動手段としては、電気的なものを使用した場合について述べてきたが、油圧などの駆動手段を併用しても良く、油圧駆動手段だけで構成しても良い。
【００４９】
なお、上記実施の形態におけるリニアアクチュエータは、レッグプレス,レッグエックステンション、シーテッドローイング、シーテッドレッグカール、ヒップアブダクション、チェストプレス、ショルダープレス、フライ、クランチ、バックエクステンションなどで使用される着座部の高さ位置調整、背当て部の角度調節などに採用するようにしても良い。
【図面の簡単な説明】
【００５０】
【図１】本発明の実施の形態を示すトレーニングマシーンの正面図。
【図２】上記実施の形態から荷重負荷装置を省いたトレーニングマシーンの斜視図。
【図３】上記実施の形態から荷重負荷装置を省いたトレーニングマシーンの斜視図。
【図４】座席移動部材と負荷伝達機構部の斜視図。
【図５】駆動手段を裏側に設けた時の着座部と背当て部を有する座席移動ブロック体を示す説明図。
【図６】座席移動ブロック体の着座部を回動させた時の説明図。
【図７】電気的駆動手段を座席移動ブロック体の裏側に設けた例を示す斜視図。
【図８】電気的駆動手段を駆動させて座席移動ブロック体を移動させた時の斜視図。
【図９】電気的駆動手段に電源を供給するスイッチ手段を示す図。
【図１０】着座シートの回動状態を示す平面図及び正面図。
【図１１】背当て部のフレームに設けたグリップの回動状態の説明図。
【図１２】グリップの回動状態の詳細を示す分解斜視図。
【図１３】従来のレッグプレストレーニングマシーンの斜視図。
【図１４】従来の異なるレッグプレストレーニングマシーンの斜視図。
【符号の説明】
【００５１】
２１…トレーニングマシーン
２２…荷重負荷装置
２３…ウェイトフレーム
２４…動作機構部
２５…足当て部
２６…着座部
２７…背当て部
２８…座席取り付け部
２９…座席移動部材
３０、３１、３９…リニアアクチュエータ
３２…ベースフレーム
３３…レール取り付けフレーム
３６…ガイド棒
５０…座席移動ブロック体
６０…負荷伝達機構部
【図１】
2007029329.tif 000003
【図２】
2007029329.tif 000004
【図３】
2007029329.tif 000005
【図４】
2007029329.tif 000006
【図５】
2007029329.tif 000007
【図６】
2007029329.tif 000008
【図７】
2007029329.tif 000009
【図８】
2007029329.tif 000010
【図９】
2007029329.tif 000011
【図１０】
2007029329.tif 000012
【図１１】
2007029329.tif 000013
【図１２】
2007029329.tif 000014
【図１３】
2007029329.tif 000015
【図１４】
2007029329.tif 000016